(57)【要約】      （修正有）【課題】排水口の内側でゴミを蓄積させながらも、ゴミの蓄積に関わる不具合を極力防ぐことが可能となるゴミ受け具を提供する。【解決手段】底部１０と、底部の外周から上寄りに伸びる側壁部１１と、側壁部の上縁から径方向外向きに張出し、排水口の縁に引掛け可能である鍔部１２と、底部の内周から上寄りに隆起し、内側の空間を覆うように形成された隆起部１３と、を有するように形成される、水を濾過するゴミ受け具であって、隆起部は、鍔部よりも上下方向位置が上側となる上部領域１３ａを有しており、上部領域においても水を濾過することが可能である。【選択図】図１
0003225589.tif 000002
【実用新案登録請求の範囲】
【請求項１】
底部と、
前記底部の外周から上寄りに伸びる側壁部と、
前記側壁部の上縁から径方向外向きに張出し、排水口の縁に引掛け可能である鍔部と、
前記底部の内周から上寄りに隆起し、内側の空間を覆うように形成された隆起部と、
を有するように形成され、水を濾過するゴミ受け具であって、
前記隆起部は、
前記鍔部よりも上下方向位置が上側となる上部領域を有しており、当該上部領域においても水を濾過することが可能であることを特徴とするゴミ受け具。
【請求項２】
前記隆起部は、前記底部の上方視中央領域に形成されていることを特徴とする請求項１に記載のゴミ受け具。
【請求項３】
前記底部、前記側壁部、および前記隆起部において水を濾過するように形成されており、
前記側壁部は、上方へ進むほど径方向外側へ向かうように傾斜していることを特徴とする請求項１または請求項２に記載のゴミ受け具。
【請求項４】
前記上部領域に、指で摘まむための紐を設けたことを特徴とする請求項１から請求項３のいずれかに記載のゴミ受け具。
【請求項５】
前記上部領域に、棒状体を通すための孔を設けたことを特徴とする請求項１から請求項４のいずれかに記載のゴミ受け具。
【請求項６】
不織布のシート材を用いて形成されていることを特徴とする請求項１から請求項５のいずれかに記載のゴミ受け具。
【考案の詳細な説明】
【技術分野】
【０００１】
本考案は、排水口に設置されるゴミ受け具に関する。
【背景技術】
【０００２】
従来、洗面台やキッチンの流しなどの排水口に設置されるゴミ受け具が利用されている。このようなゴミ受け具は使用済みの水を濾過する役割を果たし、水に混ざっている髪の毛等のゴミを蓄積させて回収することが可能である。また従来例のゴミ受け具として、例えば特許文献１および特許文献２のものが提案されている。
【０００３】
特許文献１には、洗面ボールの排水口に設置される使い捨て用のゴミ受け具が開示されており、このゴミ受け具によれば、網体において水を濾過することができる。また特許文献２には、流し台の排水口に設置される使い捨て用のゴミ受け具が開示されており、このゴミ受け具によれば、フランジ部より下側のゴミ受け部において水を濾過することができる。
【０００４】
これらの従来例によれば、網体或いはゴミ受け部は排水口の内側（排水口の開口部より下側）に配置され、これに蓄積したゴミを目立ち難くすることができる。また更に、一旦蓄積したゴミが洗面ボールや流し台の表面に散乱するような事態も極力抑えられる。
【先行技術文献】
【特許文献】
【０００５】
【特許文献１】特開2006-169926号公報
【特許文献２】特開2017-227102号公報
【考案の概要】
【考案が解決しようとする課題】
【０００６】
しかし上記従来例に係るゴミ受け具によれば、使い続けるにつれてゴミが蓄積し、目詰まりによって徐々に水が通り難くなる。そして網体或いはゴミ受け部の全体がゴミで覆われてしまうと、殆ど水が通らなくなり、直ちに洗面ボールに水が溢れる事態となる虞がある。
【０００７】
このような事態を防ぐためには、ある程度ゴミが蓄積した段階でゴミ受け具を新しいものに交換すれば良いが、排水口の内側に蓄積したゴミは使用者にとって見え難く、ゴミが蓄積したことには気付き難い。そのため、ゴミ受け具の適切な交換時期を見逃してしまいがちである。
【０００８】
本考案は上述した問題点に鑑み、排水口の内側でゴミを蓄積させながらも、ゴミの蓄積に関わる不具合を極力防ぐことが可能となるゴミ受け具の提供を目的とする。
【課題を解決するための手段】
【０００９】
本考案に係るゴミ受け具は、底部と、前記底部の外周から上寄りに伸びる側壁部と、前記側壁部の上縁から径方向外向きに張出し、排水口の縁に引掛け可能である鍔部と、前記底部の内周から上寄りに隆起し、内側の空間を覆うように形成された隆起部と、を有するように形成され、水を濾過するゴミ受け具であって、前記隆起部は、前記鍔部よりも上下方向位置が上側となる上部領域を有しており、当該上部領域においても水を濾過することが可能である構成とする。本構成によれば、排水口の内側でゴミを蓄積させながらも、ゴミの蓄積に関わる不具合を極力防ぐことが可能となる。
【００１０】
また上記構成としてより具体的には、前記隆起部は、前記底部の上方視中央領域に形成されている構成としてもよい。また上記構成としてより具体的には、前記底部、前記側壁部、および前記隆起部において水を濾過するように形成されており、前記側壁部は、上方へ進むほど径方向外側へ向かうように傾斜している構成としてもよい。
【００１１】
また上記構成としてより具体的には、前記上部領域に、指で摘まむための紐を設けた構成としてもよく、棒状体を通すための孔を設けた構成としてもよい。また上記構成としてより具体的には、不織布のシート材を用いて形成されている構成としてもよい。
【考案の効果】
【００１２】
本考案に係るゴミ受け具によれば、排水口の内側でゴミを蓄積させながらも、ゴミの蓄積に関わる不具合を極力防ぐことが可能となる。
【図面の簡単な説明】
【００１３】
【図１】本実施形態に係るゴミ受け具１の構成図である。
【図２】ゴミ受け具１が設置される排水口を有した洗面台に関する説明図である。
【図３】排水口にゴミ受け具１が設置された様子の説明図である。
【図４】ゴミ受け具１の機能に関する説明図である。
【図５】ゴミ受け具１にゴミが蓄積した様子の説明図である。
【図６】紐１４を設けたゴミ受け具１に関する説明図である。
【図７】孔１５を設けたゴミ受け具１に関する説明図である。
【図８】排水口の縁に関する説明図である。
【考案を実施するための形態】
【００１４】
本考案に係る実施形態について、各図面を参照しながら以下に説明する。図１は、本実施形態に係るゴミ受け具１の構成図である。図１では、上方視点によるゴミ受け具１の形状を上側に示し、Ａ−Ａ断面における断面図を下側に示している。本図に示すように、ゴミ受け具１は、上下に伸びる軸Ｂについて軸対称の形状となっており、底部１０、側壁部１１、鍔部１２、および隆起部１３を有するようにシート材により形成されている。なお以下の説明における「径方向」は、軸Ｂと直交する方向を指す。
【００１５】
底部１０は、ゴミ受け具１の最も下側に設けられており、概ね水平に拡がるように形成されている。底部１０は上方視ドーナツ型（中央に円形の孔を設けた円板型）となっており、外周全体が側壁部１１に連接するとともに、内周全体が隆起部１３に連接している。
【００１６】
側壁部１１は、底部１０の外周全体から上寄りに（本実施形態の例では斜め上方へ向けて）、全周に亘って同じ高さで伸びるように形成されている。鍔部１２は、側壁部１１の上縁全体から径方向外向きに張出すように形成されている。
【００１７】
隆起部１３は、底部１０の内周全体から上寄りに隆起し、内側の空間を覆うように形成されている。なお隆起部は、底部１０の上方視中央領域に設けられていると見ることもできる。また隆起部は、鍔部１２の上下方向位置よりも高く隆起しており、鍔部１２よりも上下方向位置が上側となる上部領域１３ａを有している。
【００１８】
ゴミ受け具１は、不織布のシート材あるいは不織布に所定処理（例えば、樹脂を使用したトッピング加工、コーティング加工、含浸加工、或いはラミネート加工等）を施したシート材を用いて形成することが可能である。一例としては、円板状のシート材に対して、底部１０、側壁部１１、鍔部１２、および隆起部１３が形成されるようにプレス加工を施すことで、ゴミ受け具１を形成することができる。なお、当該プレス加工が施される前に、円板状のシート材における底部１０、側壁部１１、および隆起部１３に対応する領域には、髪の毛等のゴミを通さずに水をスムーズに通す程度の無数の小さい孔が満遍なく設けられる。これにより、底部１０、側壁部１１、および隆起部１３においてより確実に水を濾過することができるように、ゴミ受け具１を形成することが可能である。
【００１９】
なお本考案に係るゴミ受け具の形成方法は、本考案の趣旨を逸脱しない範囲において、他の方法が採用されても構わない。またゴミ受け具１は、不織布を用いる他、安価な樹脂製の薄いシート素材、或いは、ビニールコーティングした紙素材等を用いて形成することも可能である。
【００２０】
ゴミ受け具１は、洗面台などの排水口に設置して利用することが可能である。図２は、このような洗面台の一例として、ゴミ受け具１が設置される排水口２１を有した洗面台２を示している。また図３は、排水口２１にゴミ受け具１が設置された様子を概略的に示している。
【００２１】
ゴミ受け具１は、側壁部１１の上縁の径方向寸法Ｄ１が排水口２１の内径よりも小さく、かつ、鍔部１２の外周の径方向寸法Ｄ２が排水口２１の内径よりも大きくなるように形成されている。そのため図３に示すように、鍔部１２を排水口２１の縁に引掛けるようにして、ゴミ受け具１を排水口２１に嵌め込んだ状態で設置することが可能である。
【００２２】
なお、排水口の内径は必ずしも一様ではなく、洗面台の種類等によって異なっていることがある。しかし、ゴミ受け具１について種々のサイズのバリエーションを用意しておくことにより、各種のサイズの排水口に対応することが可能となる。洗面台等における排水口のサイズ等が予め判っていれば、これに合わせたゴミ受け１を形成することも可能である。また、側壁部１１の上縁の径方向寸法を、排水口の縁の径方向寸法と同等または僅かに小さい程度に設定しておけば、側壁部１１の上縁を排水口の縁にフィットさせ、ゴミ受け具１が排水口から意図せずに逸脱することを極力防ぐことが可能である。
【００２３】
排水口２１に設置されたゴミ受け具１は、上側から水を受けると、図４に白抜き矢印で示すように、底部１０、側壁部１１、および隆起部１３のあらゆる箇所から水を通すことができる。このとき、水に混じっている髪の毛等のゴミはこれらの各部（底部１０、側壁部１１、隆起部１３）を通らず、ゴミ受け具１に蓄積されることになる。このようにしてゴミ受け具１は、洗面台で使用済みの水を濾過することが可能である。
【００２４】
ここで図４に示すように、側壁部１１は、上方へ進むほど径方向外側へ向かうように角度θだけ傾斜している。このように側壁部１１を傾斜させたことにより、側壁部１１と排水口２１の内壁との間に十分な隙間を生じさせ、側壁部１１における水の濾過を効率良く行わせることが可能となる。
【００２５】
また、ゴミ受け具１では、隆起部１３の径方向内側には空間が設けられているため、隆起部１３においても水の濾過が効率良く行われる。なお、本実施形態のように隆起部１３を設けたことにより、隆起部１３を設けないと仮定したものに比べて水を濾過できる部分の面積が増え、水の濾過をより効率良く行うことが可能である。
【００２６】
ゴミ受け具１を使い続けると、徐々にゴミ受け具１へのゴミの蓄積が進むことになり、ゴミ受け具１における水の通りが悪化する。しかし、ゴミ受け具１は使い捨て品としての使用が想定されており、ある程度ゴミが蓄積した段階でゴミ受け具１を新しいものに交換すれば、排水口２１での水の通りを良好に保つことができ、洗面台を快適に使うことができる。なお、本実施形態のゴミ受け具１は、先述したとおり不織布等を用いて低コストで製造可能であり、消費者へ安価に提供することができるため、使い捨て品として好適である。
【００２７】
また本実施形態では、鍔部１２よりも上方にある上部領域１３ａ（隆起部１３の上部の領域）においても水を濾過することが可能である。そのため鍔部１２と同じ高さ、或いはそれ以上にまでゴミが蓄積して水が通り難くなった状況であっても、上部領域１３ａにおいて水を濾過することができる。
【００２８】
図５は、鍔部１２よりも高い位置（本図に破線で示す位置）にまでゴミＤｓが蓄積した状況を例示している。一般的なゴミ受け具（例えば先述した従来例）であれば、外周の上縁までゴミが蓄積した段階で殆ど水を通さない状態となり、直ちに洗面台に水が溢れる状況となる虞がある。しかし本実施形態では図５に示すとおり、ゴミＤｓが外周の上縁（側壁部１１の上縁）まで蓄積しても、上部領域１３ａにおいて水を通すことができるため、直ちに洗面台に水が溢れる状況とはなり難い。そのため、上部領域１３ａにおいて水を通すことができる間に、余裕を持ってゴミ受け具１を新しいものに交換することも可能である。
【００２９】
なお、ゴミ受け具にゴミが蓄積する箇所が排水口の内側である場合、蓄積したゴミが目立ち難いという利点があるが、逆に言えば蓄積したゴミは使用者にとって見え難く、ゴミがどの程度蓄積しているかどうかの判断が容易ではないことがある。この点、本実施形態では、ある程度ゴミが蓄積するまでは、排水口の内側（底部１０、側壁部１１、および上部領域１３ａより下側の隆起部１３）にゴミが蓄積し易く、この段階では、蓄積したゴミが目立ち難いという利点がある。
【００３０】
そして本実施形態では、更にゴミの蓄積が進むと、この蓄積した部分は水が通り難くなっているため、鍔部１２よりも上側となる上部領域１３ａにゴミが蓄積し易くなる。そのため、使用者はゴミの蓄積が相当に進んだことを比較的容易に視認することができ、ゴミ受け具１の交換が遅れるといった事態を極力防ぐことができる。また、図５に例示する程度にまでゴミが蓄積すれば、洗面台の表面の一部（本図の破線よりも下側）に少し水が溜まり易くなり、これによっても、使用者はゴミの蓄積が相当に進んだことを容易に視認することができる。
【００３１】
交換の際などにゴミ受け具１を排水口２１から取り出す際には、上部領域１３ａを指で摘まんで持ち上げれば良い。上部領域１３ａは排水口２１の開口位置よりも上側にあるため、指で容易に摘まむことができる。更に、隆起部１３（上部領域１３ａ）はゴミ受け具１における上方視中央位置に設けられているため、この部分を摘まむことで、ゴミ受け具１を傾けずに真上へバランスよく持ち上げることができる。
【００３２】
なお、汚れている上部領域１３ａに指で触れることに対しては、使用者が抵抗を感じる可能性も否めない。この点を考慮し、図６に示すように、上部領域１３ａに指で摘まむための紐１４を設けるようにしても良い。このようにすれば、上部領域１３ａの代わりに紐１４を指で摘まんで、ゴミ受け具１を持ち上げることが可能となる。紐１４を設ける位置は種々設定可能であるが、通常は上部領域１３ａの頂上付近（上方視中央位置）とすることが好ましく、これによりゴミ受け具１を傾けずに真上へバランスよく持ち上げることが可能となる。
【００３３】
また、紐１４を設ける代わりに（或いは紐１４を設けるとともに）、図７に示すように、上部領域１３ａに棒状体（例えば市販の爪楊枝や竹串など）を通すための孔１５を設けるようにしても良い。このようにすれば、手に持った棒状体を孔１５に挿入し、棒状体で釣り上げるようにしてゴミ受け具１を持ち上げることが可能となる。なお、上部領域１３ａに設けた孔１５は排水口２１の開口よりも上側に位置するため、棒状体を横から孔１５に挿入することは容易である。また、多くの爪楊枝や竹串は直径（太さ）が２〜３mm程度であることを考慮して、通常は、孔１５の直径はこれより少し大きい程度（例えば３〜５mmの範囲内）に設定すれば良い。
【００３４】
以上に説明したとおりゴミ受け具１は、底部１０と、底部１０の外周から上寄りに伸びる側壁部１１と、側壁部１１の上縁から径方向外向きに張出し、排水口の縁に引掛け可能である鍔部１２と、底部１０の内周から上寄りに隆起し、内側の空間を覆うように形成された隆起部１３と、を有するようにシート材を用いて形成され、水を濾過するものとなっている。そして隆起部１３は、鍔部１２よりも上下方向位置が上側となる上部領域１３ａを有しており、上部領域１３ａにおいても水を濾過することが可能となっている。
【００３５】
そのためゴミ受け具１によれば、排水口の内側でゴミを蓄積させながらも、ゴミの蓄積に関わる不具合を極力防ぐことが可能となっている。すなわちゴミ受け具１によれば、上述したとおり、ゴミの蓄積が進むと鍔部１２よりも上側（本実施形態では、排水口の開口よりも上側）となる上部領域１３ａにゴミが蓄積し易くなるため、使用者はゴミの蓄積が相当に進んだことを比較的容易に視認することができ、ゴミ受け具１の交換が遅れるといった事態を極力防ぐことができる。また、何らかの事情によりゴミ受け具１の交換が遅れたとしても、上部領域１３ａにおいて水を通すことができるため、直ちに洗面台に水が溢れる状況とはなり難い。そのため、上部領域１３ａにおいて水を通すことができる間に、余裕を持ってゴミ受け具１を新しいものに交換することも可能である。
【００３６】
ここで本考案に係る鍔部が引掛け可能である「排水口の縁」とは、図３に示す縁２１ａのように洗面台等の表面と同じ高さにある形態の他、例えば図８に示す縁２１ａのように、洗面台等の表面より低い位置にある形態（排水口の内面の段差）であっても良い。図８に示すような排水口で使用される場合でも、隆起部１３の上端が排水口の開口位置（図８に破線で示す位置）より上側へ位置することが好ましい。但し、隆起部１３の上端が排水口の開口位置より上側には位置しなくても、鍔部１２よりは上側へ位置していることから、本考案の効果を発揮し得るものである。
【００３７】
また本実施形態では、洗面台の排水口に設置されるゴミ受け具を例に挙げたが、本考案に係るゴミ受け具はこれに限られず、例えば流し台や浴室などの様々な排水口に設置され得る。また本実施形態では、隆起部１３は底部１０の上方視中央領域に一つだけ形成されているが、本考案に係る隆起部の形態はこれに限られず、複数個の隆起部が設けられるようにしても良い。
【００３８】
以上、本考案の実施形態について説明したが、本考案の構成は上記実施形態に限られず、考案の主旨を逸脱しない範囲で種々の変更を加えることが可能である。すなわち上記実施形態は、全ての点で例示であって、制限的なものではないと考えられるべきである。本考案の技術的範囲は、上記実施形態の説明ではなく、実用新案登録請求の範囲によって示されるものであり、実用新案登録請求の範囲と均等の意味及び範囲内に属する全ての変更が含まれると理解されるべきである。
【産業上の利用可能性】
【００３９】
本考案は、例えば洗面台、流し台、或いは浴室などの排水口に設置されるゴミ受け具に利用可能である。
【符号の説明】
【００４０】
１            ゴミ受け具
１０          底部
１１          側壁部
１２          鍔部
１３          隆起部
１３ａ        上側領域
１４          紐
１５          孔
２            洗面台
２１          排水口
【図１】
0003225589.tif 000003
【図２】
0003225589.tif 000004
【図３】
0003225589.tif 000005
【図４】
0003225589.tif 000006
【図５】
0003225589.tif 000007
【図６】
0003225589.tif 000008
【図７】
0003225589.tif 000009
【図８】
0003225589.tif 000010